(57)【要約】  金属を含有する塗料を塗布した物質についての電気的特性を容易かつ短時間に解析することが可能な電気特性解析装置を提供するために、電気特性解析装置１００に、解析モデル情報を取得する解析モデル取得手段１０１と、波源情報を取得する波源情報取得手段１０２と、解析モデルに関する物性値を取得する物性値取得手段１０３と、波源から与えられる電気的又は磁気的な信号に応じた観測点における電気特性を解析する電磁界解析手段１０４と、を備える。
2008105177.tif 000002
【特許請求の範囲】
【請求項１】
所定の割合で金属を含有する塗料が塗布された物質に対して、波源から与えた電気的又は磁気的な信号に応じた観測点における電気特性を解析する電気特性解析装置において、
前記塗料を塗布された物質を含む解析対象となる領域を定義する解析モデル情報を記憶手段から読み出す解析モデル取得手段と、
前記波源から与えられる信号情報を記憶手段から読み出す波源情報取得手段と、
前記解析対象となる領域内の物質の物性値であって、前記塗料の導電率を含む物性値を記憶手段から読み出す物性値取得手段と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析手段と、
を備える電気特性解析装置。
【請求項２】
前記解析モデル情報は、前記塗料及び前記物質の形状と、該塗料を塗布された物質を含む解析対象となる領域と、該領域をメッシュ分割した格子のサイズと、解析時間の最小単位である刻み時間幅と、少なくとも含むことを特徴とする請求項１に記載の電気特性解析装置。
【請求項３】
あらかじめ計測された前記塗料の抵抗値から該塗料の導電率を算出して記憶部に記憶する導電率算出手段をさらに備える、ことを特徴とする請求項１に記載の電気特性解析装置。
【請求項４】
前記電磁界解析手段は、前記塗料を導電性を有する誘電体として解析的に計算する、ことを特徴とする請求項１に記載の電気特性解析装置。
【請求項５】
前記電磁界解析手段は、ＦＤＴＤ（Ｆｉｎｉｔｅ  Ｄｉｆｆｅｒｅｎｃｅ  Ｔｉｍｅ  Ｄｏｍａｉｎ）法に基づいて行われる、ことを特徴とする請求項１に記載の電気特性解析装置。
【請求項６】
所定の割合で金属を含有する塗料が塗布された物質に対して、波源から与えた電気的又は磁気的な信号に応じた観測点における電気特性を解析する電気特性解析方法において、
前記塗料を塗布された物質を含む解析対象となる領域を定義する解析モデル情報を記憶する解析モデル情報記憶手段から該解析モデル情報を読み出す解析モデル取得処理と、
前記波源から与えられる信号情報を記憶する信号情報記憶手段から該信号情報を読み出す波源情報取得処理と、
前記解析対象となる領域内の物質の物性値であって、前記塗料の導電率を含む物性値を記憶する物性値記憶手段から該物性値を読み出す物性値取得処理と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析処理と、
を情報処理装置に行わせる電気特性解析方法。
【請求項７】
前記解析モデル情報は、前記塗料及び前記物質の形状と、該塗料を塗布された物質を含む解析対象となる領域と、該領域をメッシュ分割した格子のサイズと、解析時間の最小単位である刻み時間幅と、少なくとも含むことを特徴とする請求項６に記載の電気特性解析方法。
【請求項８】
あらかじめ計測された前記塗料の抵抗値から該塗料の導電率を算出して記憶部に記憶する導電率算出処理をさらに行わせる、ことを特徴とする請求項６に記載の電気特性解析方法。
【請求項９】
前記電磁界解析処理は、前記塗料を導電性を有する誘電体として解析的に計算する、ことを特徴とする請求項６に記載の電気特性解析方法。
【請求項１０】
前記電磁界解析処理は、ＦＤＴＤ（Ｆｉｎｉｔｅ  Ｄｉｆｆｅｒｅｎｃｅ  Ｔｉｍｅ  Ｄｏｍａｉｎ）法に基づいて行われる、ことを特徴とする請求項６に記載の電気特性解析方法。
【請求項１１】
所定の割合で金属を含有する塗料が塗布された物質に対して、波源から与えた電気的又は磁気的な信号に応じた観測点における電気特性を解析する電気特性解析処理を情報処理装置に行わせるプログラムにおいて、
前記塗料を塗布された物質を含む解析対象となる領域を定義する解析モデル情報を記憶する解析モデル情報記憶手段から該解析モデル情報を読み出す解析モデル取得処理と、
前記波源から与えられる信号情報を記憶する信号情報記憶手段から該信号情報を読み出す波源情報取得処理と、
前記解析対象となる領域内の物質の物性値であって、前記塗料の導電率を含む物性値を記憶する物性値記憶手段から該物性値を読み出す物性値取得処理と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析処理と、
を情報処理装置に行わせるプログラム。
【請求項１２】
前記解析モデル情報は、前記塗料及び前記物質の形状と、該塗料を塗布された物質を含む解析対象となる領域と、該領域をメッシュ分割した格子のサイズと、解析時間の最小単位である刻み時間幅と、少なくとも含むことを特徴とする請求項１１に記載のプログラム。
【請求項１３】
あらかじめ計測された前記塗料の抵抗値から該塗料の導電率を算出して記憶部に記憶する導電率算出処理をさらに行わせる、ことを特徴とする請求項１１に記載のプログラム。
【請求項１４】
前記電磁界解析処理は、前記塗料を導電性を有する誘電体として解析的に計算する、ことを特徴とする請求項１１に記載のプログラム。
【請求項１５】
前記電磁界解析処理は、ＦＤＴＤ（Ｆｉｎｉｔｅ  Ｄｉｆｆｅｒｅｎｃｅ  Ｔｉｍｅ  Ｄｏｍａｉｎ）法に基づいて行われる、ことを特徴とする請求項１１に記載のプログラム。
【発明の詳細な説明】
【技術分野】
【０００１】
本発明は、金属を含有する塗料を塗布した物質についての電気的特性を解析する装置に関する。
【背景技術】
【０００２】
近年、音楽プレーヤ等の操作部（例えば、再生ボタン）に、いわゆるタッチパネルを使用する場合が増加してきている。タッチパネルは、例えば、プラスチックでできた操作部に静電センサを装着し、操作部上に指を近づけた場合に指−センサ間の容量成分が変化したことを検知することで、当該操作を検出している。【０００３】
一方、音楽プレーヤ等の筐体などには、その見栄えの良さ等から金属を含有するいわゆるメタリック塗料が塗布される場合がある。このメタリック塗料は、タッチパネル上にも塗布される。メタリック塗料に含まれる金属が多いと、指−センサ間の容量が大きくなるので、容量成分の変化が小さくなってしまう。その結果、センサが動作しなくなってしまう。そこで、センサが正常に動作できる金属の含有量を解析する必要がある。【０００４】
上記技術に関連して、特許文献１には、電位解析によって得られた被塗装物表面の電流密度から塗膜析出量を求める際に、電流密度以外の物理量も加味することにより、電着塗装解析の精度が向上した電着塗装解析方法について開示されている。また、特許文献２には、被塗装物に置き換えた解析モデルを用いて、高い精度で、被塗装物の各部に電着した塗膜の膜厚を算出することができる電着塗膜の膜厚算出方法について開示されている。【０００５】
ここで、センサが正常に動作できる金属の含有量をＦＤＴＤ（Ｆｉｎｉｔｅ  Ｄｉｆｆｅｒｅｎｃｅ  Ｔｉｍｅ  Ｄｏｍａｉｎ）法等を用いて解析する場合、筐体に塗布されるメタリック塗料の厚さに応じて、タイムステップ（シミュレーション時の時間の最小単位）を決めることになる。【０００６】
一般に、筐体に塗布されるメタリック塗料の厚さは、数μｍ〜ｎｍ以下程度なので、タイムステップもそれに応じて小さくする必要がある。その結果、現実的な時間内にシミュレーションによる解析結果を得ることができなくなってしまう等の問題があった。
【特許文献１】特開２００２−１８０２９５号公報
【特許文献２】特開２００２−３２７２９４号公報
【発明の開示】
【０００７】
本発明は、上述した問題に鑑みてなされたものであり、その解決しようとする課題は、金属を含有する塗料を塗布した物質についての電気的特性を容易かつ短時間に解析することが可能な電気特性解析装置を提供することである。
【０００８】
上記課題を解決するために、本発明に係る電気特性解析装置は、所定の割合で金属を含有する塗料が塗布された物質に対して、波源から与えた電気的又は磁気的な信号に応じた観測点における電気特性を解析する電気特性解析装置において、前記塗料を塗布された物質を含む解析対象となる領域を定義する解析モデル情報を記憶手段から読み出す解析モデル取得手段と、前記波源から与えられる信号情報を記憶手段から読み出す波源情報取得手段と、前記解析対象となる領域内の物質の物性値であって、前記塗料の導電率を含む物性値を記憶手段から読み出す物性値取得手段と、解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析手段と、を備える。
【０００９】
本発明によると、物性値取得手段は塗料についての導電率を取得するので、電磁界解析手段は所定の割合の金属を含有する塗料を、導電率を有する誘電体として解析的に計算することができる。そのため、塗料についてのモデル化が簡素化される。その結果、所定の割合で金属を含有する塗料が塗布された物質に対して、波源から与えた電気的又は磁気的な信号に応じた観測点における電気特性を容易かつ短時間に解析することが可能となる。
【００１０】
以上に説明したように、本発明によると、金属を含有する塗料を塗布した物質についての電気的特性を容易かつ短時間に解析することが可能な電気特性解析装置を提供できる。
【図面の簡単な説明】
【００１１】
【図１】本発明の実施例に係る電気特性解析装置の動作原理を説明する図である。
【図２】本発明の実施例に係る電気特性解析装置の構成例を示す図である。
【図３】本発明の実施例に係る電気特性解析装置で解析する解析モデルの斜視図である。
【図４】本発明の実施例に係る解析モデルについての等価回路を示す図である。
【図５】本発明の実施例に係る解析モデルをメッシュ分割した場合の断面図である。
【図６】本発明の実施例に係る解析モデルをメッシュ分割した格子の拡大図である。
【図７】本発明の実施例に係る電気特性解析装置の具体的な処理を示すフローチャートである。
【図８Ａ】本発明の実施例に係る解析モデルの波源及び観測点における信号を示す図である。
【図８Ｂ】本発明の実施例に係る解析モデルの波源及び観測点における信号を示す図である。
【図８Ｃ】本発明の実施例に係る解析モデルの波源及び観測点における信号を示す図である。
【発明を実施するための最良の形態】
【００１２】
以下、本発明の実施の形態について図１〜図８Ｃに基づいて説明する。【００１３】
図１は、本発明の実施例に係る電気特性解析装置１００の動作原理を説明する図である。【００１４】
図１に示す電気特性解析装置１００は、解析モデル情報を取得する解析モデル取得手段１０１と、波源情報を取得する波源情報取得手段１０２と、解析モデルに関する物性値を取得する物性値取得手段１０３と、波源から与えられる電気的又は磁気的な信号に応じた観測点における電気特性を解析する電磁界解析手段１０４と、を備える。【００１５】
解析モデル取得手段１０１、波源情報取得手段１０２及び物性値取得手段１０３は、記憶手段１０５の所定の位置から、それぞれ解析モデル情報、波源情報、物性値を読み出す。【００１６】
ここで、解析モデル情報は、例えば、所定の割合で金属を含有する塗料（以下、単に「メタリック塗料」という）やこのメタリック塗料を塗布した物質についての形状、この物質を含む解析対象となる領域（空間）、この領域をメッシュ分割した場合の格子のサイズ、解析時間の刻み時間幅（タイムステップ）等が少なくとも含まれる。【００１７】
また、波源情報は、波源において解析モデルに与える電気的又は磁気的な信号に関する情報である。例えば、電気信号で与えてもよいし、電磁波等で与えてもよい。【００１８】
また、物性値には、例えば、解析対象となる領域（空間）にある物質の誘電率ε、透磁率μ及び導電率ρ等が少なくとも含まれる。ここで、本実施例に係る物性値には、必ずメタリック塗料の導電率が含まれるものとする。すなわち、電磁界解析手段１０４において、本実施例に係るメタリック塗料は一定の導電性を有する誘電体として解析的に計算される。【００１９】
以上の情報が取得されると、電磁界解析手段１０４は、解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める。そして、例えば、電界と電位との関係から、所望の観測点における電気特性を得る。【００２０】
図２は、本発明の実施例に係る電気特性解析装置１００の構成例を示す図である。【００２１】
図２に示す電気特性解析装置１００は、本実施例に係る電気特性解析を実現するプログラムを実行するＣＰＵ２０１と、プログラムの実行時に使用される揮発性のメモリ２０２（例えばＲＡＭ）と、電気特性解析装置１００に対するデータ等の入力手段である入力装置２０３（例えばキーボードやマウス）と、表示装置にデータ等を出力する出力装置２０４と、電気特性解析装置１００の実現に必要なプログラムやデータ等を記録する外部記憶装置２０５と、メモリ２０２や外部記憶装置２０５のデータを可搬記録媒体２０７（例えばフロッピイディスクやＭＯディスク、ＣＤ−ＲやＤＶＤ−Ｒなど）に出力し、或は可搬記録媒体２０７からプログラムやデータ等を読み出す媒体駆動装置２０６と、ネットワークに接続するネットワーク接続装置２０８と、を有し、これらの装置がバス２０９に接続されて相互にデータの受け渡しが行える構成となっている。【００２２】
なお、入力装置２０３、出力装置２０４、外部記憶装置２０５、媒体駆動装置２０６、ネットワーク接続装置２０８については、必須の構成ではなく、必要に応じて備えればよい。【００２３】
以上の構成において、解析モデル取得手段１０１、波源情報取得手段１０２、物性値取得手段１０３及び電磁界解析手段１０４は、所定のプログラムに記載された命令をＣＰＵ２１０に実行させることによって実現される。【００２４】
以下、本実施例に係る電気特性解析装置１００による電気特性解析について説明する。
（解析モデル）
図３は、本実施例に係る電気特性解析装置１００で解析する解析モデルの斜視図である。【００２５】
図３に示すモデルを解析モデル３００は、所定の割合で金属が含まれるメタリック塗料３０１と、音楽プレーヤ等の筐体３０２と、平面状の容量センサ３０３及びグランド層のＡＳＩＣ３０４と、が層状に重ねられている。なお、平面状の容量センサ３０３とＡＳＩＣ３０４とは配線パターン３０８で接続されている。【００２６】
本実施例では、メタリック塗料３０１について具体的なモデル化（例えば、メタリック塗料３０１を、所定の割合で一様に金属粒子が散りばめられた誘電体と定義）することはせずに、一定の導電性を有する誘電体として取り扱う。【００２７】
筐体３０２は、プラスチックで構成されたものとする。また、容量センサ３０３は、一定の容量を有する容量センサ（例えば、コンデンサや導体等）で構成され、メタリック塗料３０１面上への指の接近に応じて容量成分が変動する。指は金属棒でできた導体３０５で模擬する。【００２８】
ここで、波源３０６から所定の入力信号（例えば、図８Ａに示す信号）が入力されると、当該信号は容量センサ３０３とＡＳＩＣ３０４を伝達して観測点３０７で観測される。この観測点３０７で観測される信号（以下、「観測信号」という）の波形は、ＡＳＩＣ３０４等の内部抵抗や容量センサ３０３のキャパシタにより、鈍りが生じる（例えば、図８Ｂに示す信号）。【００２９】
そこで、入力信号と観測信号との差分信号を求め、差分信号が所定の閾値以上となった場合に、指（導体３０５）がメタリック塗料３０１面上に接していると判断される。【００３０】
したがって、本実施例に係る電気特性解析処理により、指（導体３０５）がメタリック塗料３０１面上に接している場合（導体３０５がある場合）と接していない場合（導体３０５がない場合）とについて、波源３０６に所定の入力信号を入力した場合における観測点３０７での電界Ｅ（及び磁界Ｈ）を解析して観測信号を求め、解析の結果得られる両信号（例えば、図８Ｃに示す信号）を比較して一定の閾値以上の差分があるか否かで、指（導体３０５）がメタリック塗料３０１面上に接していることを検出可能か否かを判断できる。【００３１】
その結果、当該メタリック塗料３０１における金属含有率（以下、単に「金属含有率」という）において、指（導体３０５）がメタリック塗料３０１面上に接していることを検出可能か否かを判断することが可能となる。さらに、様々な金属含有率のメタリック塗料３０１について、上記電気特性解析処理を行うことによって、指（導体３０５）がメタリック塗料３０１面上に接していることを検出可能な金属含有率の範囲（又は上限値）を求めることが可能となる。【００３２】
ここで、図３に示した解析モデル３００は、図４に示す回路構成と考えることができる。すなわち、容量センサ３０３とＡＳＩＣ３０４の内部抵抗Ｒと、容量センサ３０３のキャパシタＣと、で構成されたローパスフィルタ回路（以下、単に「ＲＣ回路」という）と考えることができる。【００３３】
ＲＣ回路は、図３には図示しない比較器Ａと接続される。そして、入力端子ＩＮに入力される信号ａ（例えば、図８Ａに示す入力信号）と、ＲＣ回路を介して得られる信号ｂと、の比較を行って、所定の閾値以上の差分信号を検出する。【００３４】
例えば、導体３０５を筐体表面に近づけると、キャパシタＣが大きくなる。すると、ＲＣ回路を介して得られる信号ｂは、図８Ｂに示す実線のように鈍る（平滑化される）ので、信号ａとの差が大きくなる。その結果、閾値以上の差を検出した場合に、導体３０５が筐体表面に接したと判断できる。【００３５】
なお、内部抵抗ＲとキャパシタＣが容易に分かる場合には、図４に示した回路から定量的に信号ｂを算出することが出来るので、指（導体３０５）がメタリック塗料３０１面上に接していることを検出できる金属含有量の範囲を定量的に求めることができる。【００３６】
しかし、一般に、指（導体３０５）をメタリック塗料３０１面上に近づけた場合のキャパシタＣの容量を算出することは難しいため、本実施例では、導体３０５をメタリック塗料３０１面上に近づけた場合にＲＣ回路を介して得られる信号ｂを、ＦＤＴＤ法によって解析的に算出し、指（導体３０５）がメタリック塗料３０１面上に近づいたことを検出できる金属含有量の範囲（金属を含有可能な上限値）を求める。【００３７】
上述のように、本実施例に係る電気特性解析装置１００は、電気特性解析処理をＦＤＴＤ法によって行う。そこで、図３に示した解析モデル３００を、所定のサイズ（Δｘ，Δｙ，Δｚ）にメッシュ分割し、各格子における電界Ｅ及び磁界Ｈ（いずれもベクトル量）を求める。【００３８】
図５に、本実施例に係る解析モデル３００をメッシュ分割した場合の断面図を示す。本実施例に係る電気特性解析処理では、点線で示すように、解析モデル３００を含有する所定の範囲の空間を全てメッシュ分割し、当該空間についての電界Ｅ及び磁界Ｈを解析的に計算することによって、メタリック塗料３０１の電気特性を求める。【００３９】
また、メッシュ分割された格子（Ｙｅｅ格子）の拡大図を図６に示す。格子は、縦、横、高さがそれぞれΔｘ、Δｙ、Δｚの直方体となっている。○はその位置における電界Ｅ（電界Ｅｘ、Ｅｙ、Ｅｚの合成ベクトル）を表し、□はその位置における磁界Ｈ（磁界Ｈｘ、Ｈｙ、Ｈｚの合成ベクトル）を表す。
（物性値）
本実施例に係るメタリック塗料３０１、筐体３０２、容量センサ３０３、ＡＳＩＣ３０４及び導体３０５の物性値は、表１のデータを使用する。【００４０】
【表１】
2008105177.tif 000003
なお、本実施例に係るメタリック塗料３０１の導電率ρ０は、あらかじめ測定した抵抗値Ｒ０から算出される。メタリック塗料３０１の厚みがＴ、メタリック塗料３０１を塗布した面積がＳの場合における抵抗値をＲ０とすると、導電率ρ０は、次式から求めることができる。【００４１】
ρ０  ＝  （１／Ｒ０）＊（Ｔ／Ｓ）  ［Ｓ／ｍ］    ・・・  （１）
（電気特性解析処理）
図７は、本実施例に係る電気特性解析装置１００の具体的な処理を示すフローチャートである。【００４２】
利用者は、図３で示した解析モデル３００の形状、波源、物性値等をモデルデータとして外部記憶装置２０５に入力する。そして、利用者が所定の操作を行うと、電気特性解析装置１００は、解析モデル３００の電気特性の解析を開始する（ステップＳ７００）。【００４３】
ステップＳ７０１において、電気特性解析装置１００は、外部記憶装置２０５を参照し、メタリック塗料３０１、筐体３０２、容量センサ３０３、ＡＳＩＣ３０４及び導体３０５の形状やメッシュ分割による分割幅や刻み時間（Δｘ、Δｙ、Δｚ、Δｔ）を読み出す。【００４４】
ステップＳ７０２において、電気特性解析装置１００は、外部記憶装置２０５を参照し、波源に関するデータを読み出す。本実施例では、図８Ａに示す入力信号を波源として使用する。【００４５】
ステップＳ７０３において、電気特性解析装置１００は、外部記憶装置２０５を参照し、表１に示したメタリック塗料３０１、筐体３０２、容量センサ３０３、ＡＳＩＣ３０４及び導体３０５の物性値（誘電率ε、透磁率μ、メタリック塗料３０１以外の導電率ρ）を読み出す。【００４６】
以上のように、解析モデル３００を読出し及び設定の処理が完了すると、電気特性解析装置１００は、処理をステップＳ７０４に移行する。【００４７】
ステップＳ７０４において、電気特性解析装置１００は、メタリック塗料３０１の導電率ρ０を算出する。本実施例では、厚さＴ、面積Ｓのメタリック塗料３０１における抵抗値Ｒ０を実際に測定し、物性値等の情報とともに外部記憶装置２０５に記憶しておく。そして、電気特性解析装置１００が、厚さＴ、面積Ｓ及び抵抗値Ｒ０を読出し、式（１）に代入して導電率ρ０を算出する。なお、あらかじめ算出した導電率ρ０を外部記憶装置２０５に記憶しておき、ステップＳ７０３において、他の物性値とともに読み出すようにしてもよい。【００４８】
導電率ρ０を算出すると、電気特性解析装置１００は、処理をステップＳ７０５に移行して、ＦＤＴＤ法による電気特性解析処理を開始する。なお、ＦＤＴＤ法による電界・磁界の解析手法については、公知の技術であるので詳細な説明については省略する。【００４９】
ステップＳ７０５において、電気特性解析装置１００は、時間ｔと整数ｎを初期化し、ｔ＝０、ｎ＝１とする。そして、処理をステップＳ７０６に移行する。【００５０】
ステップＳ７０６において、電気特性解析装置１００は、電界Ｅについて計算する。ここで、電界Ｅは、誘電率ε、導電率ρ及び刻み時間幅（タイムステップ）Δｔを、次式に与えることで求めることができる。なお、誘電率ε及び導電率ρについては、その位置（ｘ，ｙ，ｚ）の素材（メタリック塗料、プラスチック、容量センサ、導体等）に応じたものが選択され、式（２）に代入される。【００５１】
【数１】
2008105177.tif 000004
電界Ｅについて計算が完了すると、必要に応じてインピーダンス整合等の吸収境界処理を行った後、処理をステップＳ７０７に移行する。【００５２】
ステップＳ７０７において、電気特性解析装置１００は、磁界Ｈについて計算する。ここで、磁界Ｈは、透磁率μ及び刻み時間幅Δｔを次式に与えることで求めることができる。なお、透磁率μについても、その位置（ｘ，ｙ，ｚ）の素材に応じたものが選択され、式（３）に代入される。【００５３】
【数２】
2008105177.tif 000005
磁界Ｈについて計算が完了すると、電気特性解析装置１００は、処理をステップＳ７０８に移行する。そして、時間ｔが所定の時間Ｔと一致するか否かをチェックする。時間ｔが所定の時間Ｔと一致しない場合には、処理をステップＳ７０９に移行する。【００５４】
ステップＳ７０９において、電気特性解析装置１００は、時間ｔと整数ｎを更新する。本実施例では、刻み時間幅をΔｔとしているので、時間ｔにｔ＋（Δｔ／２）を代入する。また、整数ｎを１だけインクリメントする。【００５５】
時間ｔと整数ｎの更新をすると、電気特性解析装置１００は、処理をステップＳ７１０に移行する。そして、電気特性解析装置１００は、波源を更新する。すなわち、更新された時間ｔにおける波源の電界Ｅを求める。そして、処理をステップＳ７０６に移行する。【００５６】
以上のようにして、電気特性解析装置１００は、時間ｔが所定の時間ＴとなるまでステップＳ７０６〜Ｓ７１０の処理を行って、観測点における電界Ｅ、すなわち、電位Ｖを求める。【００５７】
ステップＳ７０８において、時間ｔが所定の時間Ｔと一致すると、電気特性解析装置１００は、処理をステップＳ７１１に移行する。そして、ステップＳ７０６〜Ｓ７１０の処理によって求められた電位Ｖを外部記憶装置２０５に出力して記憶する。そして、処理をステップＳ７１２に移行し、電気特性の解析処理を終了する。【００５８】
以上の説明において、本実施例では、波源において図８Ａに示した信号を与えた場合を示したが、例えば、任意の位置から電磁的な信号を与えた場合についても、同様の手順で観測点における電気的特性を解析的に計算することが可能である。【００５９】
図８Ａ〜図８Ｃは、本実施例に係る解析モデル３００の波源３０６及び観測点３０７における信号を示す図である。【００６０】
図８Ａは、本実施例に係る波源３０６に入力する入力信号を示す。また、図８Ｂは、本実施例に係る電気特性解析処理によって得られる観測点３０７における電気特性を示す。なお、実線は、指（導体３０５）がメタリック塗料３０１面上に接している場合の特性を示し、点線は、メタリック塗料３０１面上に接していない場合の特性を示す。【００６１】
図８Ｃは、メタリック塗料３０１の金属含有量が１％（実線）、５％（点線）、１０％（一点波線）、２０％（二点波線）の場合について、指（導体３０５）がメタリック塗料３０１面上に接している場合の電気特性解析を行い、指（導体３０５）がメタリック塗料３０１面上に接していない場合との差分をとったグラフである。【００６２】
図８Ｃのグラフから、金属含有率が２０％の場合は、図８Ａの入力信号に対する応答が、所定の閾値以下にまで鈍ってしまうことがわかる。したがって、メタリック塗料３０１における金属含有量は１０％程度が上限であると判断することができる。【００６３】
以上に説明したように、本実施例に係る電気特性解析装置１００は、あらかじめ測定されたメタリック塗料３０１についての抵抗値Ｒ０から、メタリック塗料３０１の透磁率ρ０を算出し、メタリック塗料３０１については、一定の導電率を有する誘電体として電界Ｅ及び磁界Ｈを計算する。【００６４】
そのため、メタリック塗料３０１についての特別な解析モデルを必要としない。したがって、メタリック塗料３０１を塗布した物質に対して、所定の波源から与えた（電気的又は電磁的）信号に応じた観測点における電界Ｅ及び磁界Ｈの解析的な計算が容易となる。また、特別な解析モデルを必要としないため、例えば、計算時間を短くすることが可能となる。
【図１】
2008105177.tif 000006
【図２】
2008105177.tif 000007
【図３】
2008105177.tif 000008
【図４】
2008105177.tif 000009
【図５】
2008105177.tif 000010
【図６】
2008105177.tif 000011
【図７】
2008105177.tif 000012
【図８Ａ】
2008105177.tif 000013
【図８Ｂ】
2008105177.tif 000014
【図８Ｃ】
2008105177.tif 000015
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
所定の割合で金属を含有する塗料が塗布された物質に対して、波源から与えた電気的又は磁気的な信号に応じた観測点における電気特性を解析する電気特性解析装置において、
前記塗料を塗布された物質を含む解析対象となる領域を定義する解析モデル情報を記憶手段から読み出す解析モデル取得手段と、
前記波源から与えられる信号情報を記憶手段から読み出す波源情報取得手段と、
前記解析対象となる領域内の物質の物性値であって、前記塗料の導電率を含む物性値を記憶手段から読み出す物性値取得手段と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析手段と、
を備える電気特性解析装置。
【請求項２】
前記解析モデル情報は、前記塗料及び前記物質の形状と、該塗料を塗布された物質を含む解析対象となる領域と、該領域をメッシュ分割した格子のサイズと、解析時間の最小単位である刻み時間幅と、少なくとも含むことを特徴とする請求項１に記載の電気特性解析装置。
【請求項３】
あらかじめ計測された前記塗料の抵抗値から該塗料の導電率を算出して記憶部に記憶する導電率算出手段をさらに備える、ことを特徴とする請求項１に記載の電気特性解析装置。
【請求項４】
前記電磁界解析手段は、前記塗料を導電性を有する誘電体として解析的に計算する、ことを特徴とする請求項１に記載の電気特性解析装置。
【請求項５】
所定の割合で金属を含有する塗料が塗布された物質に対して、波源から与えた電気的又は磁気的な信号に応じた観測点における電気特性を解析する電気特性解析方法において、
前記塗料を塗布された物質を含む解析対象となる領域を定義する解析モデル情報を記憶する解析モデル情報記憶手段から該解析モデル情報を読み出す解析モデル取得処理と、
前記波源から与えられる信号情報を記憶する信号情報記憶手段から該信号情報を読み出す波源情報取得処理と、
前記解析対象となる領域内の物質の物性値であって、前記塗料の導電率を含む物性値を記憶する物性値記憶手段から該物性値を読み出す物性値取得処理と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析処理と、
を情報処理装置に行わせる電気特性解析方法。
【請求項６】
所定の割合で金属を含有する塗料が塗布された物質に対して、波源から与えた電気的又は磁気的な信号に応じた観測点における電気特性を解析する電気特性解析処理を情報処理装置に行わせるプログラムにおいて、
前記塗料を塗布された物質を含む解析対象となる領域を定義する解析モデル情報を記憶する解析モデル情報記憶手段から該解析モデル情報を読み出す解析モデル取得処理と、
前記波源から与えられる信号情報を記憶する信号情報記憶手段から該信号情報を読み出す波源情報取得処理と、
前記解析対象となる領域内の物質の物性値であって、前記塗料の導電率を含む物性値を記憶する物性値記憶手段から該物性値を読み出す物性値取得処理と、
解析対象となる領域をメッシュ分割した各格子における電界と磁界をマクスウェルの方程式に基づいて解析的に計算することにより、波源から与えられる電気的又は磁気的な信号に応じた観測点における電界及び磁界の変化を求める電磁界解析処理と、
を情報処理装置に行わせるプログラム。
【国際調査報告】
2008105177.tif 000016
2008105177.tif 000017
2008105177.tif 000018
2008105177.tif 000019